(57)【特許請求の範囲】
【請求項１】
送信装置からの操作信号を受信する受信手段と、この受信手段に接続された制御手段と、この制御手段をペアリング設定状態に切換える切換手段からなり、上記制御手段が上記ペアリング設定状態において、上記操作信号に応じて電源の通電を所定のＯＮ時間とＯＦＦ時間とする間欠動作時間を設定する受信装置。
【請求項２】
前記電源は電池或いは交流電源である請求項１記載の受信装置。
【請求項３】
上記操作信号は操作コードを含み、上記ペアリング設定状態以外では、上記制御手段が上記ペアリング設定状態で用いたものと同じ上記操作コードに従って上記制御手段に接続された駆動手段を駆動する請求項１に記載の受信装置。
【発明の詳細な説明】
【技術分野】
【０００１】
本発明は、主に門扉の施解錠やシャッターの開閉等の遠隔操作に使用される受信装置に関するものである。
【背景技術】
【０００２】
近年、門扉の施解錠やシャッターの開閉等を、機械式キーにより直接操作することに加え、携帯した送信装置から受信装置に操作信号を送信し、離れた箇所から遠隔操作することが一般的に行われており、使い易く確実な操作の可能なものが求められている。
【０００３】
このような従来の受信装置について、図２〜図４を用いて説明する。
【０００４】
図４は従来の受信装置のブロック回路図であり、同図において、１はアンテナ等の受信手段、２はマイコン等の制御手段、３はスイッチ等の切換手段で、上下面に複数の配線パターンが形成された配線基板（図示せず）にこれらが実装され、受信手段１と切換手段３が制御手段２に接続されて、受信装置４が構成されている。
【０００５】
また、５は携帯用の送信装置で、上面から複数の押釦５Ｂが突出した絶縁樹脂製のケース５Ａ内には、収納されたアンテナやスイッチ、マイコン等によって送信手段や、送信装置毎に異なる識別コードや操作コード等が登録された記憶手段（図示せず）等が形成されている。
【０００６】
なお、このような電波を用いて遠隔操作を行う受信装置４や送信装置５の場合、他の受信装置や送信装置による誤操作を防ぐため、使用前に、一組の受信装置４と送信装置５のみがペアとして操作可能となる設定、いわゆるペアリングが一般的に行われている。
【０００７】
つまり、上記の構成において、先ず初めに、受信装置４の切換手段３を切換えると、これを制御手段２が検出して、受信装置４がペアリング設定状態となる。
【０００８】
また、この状態で、例えば門扉施解錠用の送信装置５の押釦５Ｂを押圧操作すると、ケース５Ａ内のスイッチ接点の電気的接離が行われ、図２（ａ）の波形図に示すような、送信装置毎に異なる識別コードＬ１と、例えば門扉を解錠するための操作コードＭ１から形成された、操作信号が電波として送信装置５から送信される。
【０００９】
そして、この操作信号を受信装置４の受信手段１が受信し、制御手段２が送信装置毎に固有の識別コードＬ１を記憶した後、切換手段３を元に戻して、受信装置４と送信装置５が一組のペアとして操作可能となるペアリング設定が完了する。
【００１０】
さらに、このような受信装置４が門扉やシャッターの所定箇所に装着されると共に、制御手段２がコネクタやリード線（図示せず）等によって、門扉の錠機構（図示せず）やシャッターの開閉を駆動する、モータ等の駆動手段６に電気的に接続される。
【００１１】
また、受信装置４が門扉の施解錠に用いられる場合には、制御手段２が電池に、シャッターの開閉に用いられる場合には、制御手段２は変換器等を介して交流電源に各々接続される。
【００１２】
以上の構成において、例えば門扉とある程度離れた場所から、携帯した送信装置５の例えば解錠用の押釦５Ｂを押圧操作すると、図２（ａ）に示したような、識別コードＬ１と門扉解錠用の操作コードＭ１から形成された、操作信号が電波として送信装置５から送信される。
【００１３】
そして、この操作信号を受信装置４の受信手段１が受信し、この操作信号内の識別コードＬ１を制御手段２が判別して、ペアリング時に記憶したものと同一である場合には、操作コードＭ１に従って駆動手段６を駆動し、門扉の錠が解錠される。
【００１４】
また、送信装置５の施錠用の押釦５Ｂを押圧操作した場合には、図２（ｂ）に示すような、識別コードＬ１と門扉施錠用の操作コードＭ２から形成された操作信号が、送信装置５から送信され、同じく制御手段２が識別コードＬ１を判別して駆動手段６を駆動し、門扉の錠が施錠される。
【００１５】
なお、これらがシャッターの開閉に用いられた場合には、送信装置５の押釦５Ｂを押圧操作すると、図２（ｃ）に示すような、識別コードＬ２とシャッター開放用の操作コードＭ３から形成された操作信号や、図２（ｄ）に示すような、識別コードＬ２とシャッター閉鎖用の操作コードＭ４から形成された操作信号が、送信装置５から各々送信され、これによってシャッターの開閉が行われる。
【００１６】
すなわち、門扉やシャッターに接近し機械式キーによって、門扉の施解錠やシャッターの開閉を直接行うことに加え、携帯した送信装置５を操作することによって、ある程度離れた場所からでも、門扉の施解錠やシャッターの開閉を遠隔操作できるように構成されている。
【００１７】
なお、このような受信装置４を常に通電状態にしておいたのでは、遠隔操作していない間も電力が消費されてしまい、特に電池が電源である門扉の施解錠に用いられた場合には、電池の消耗が進んでしまうため、通常は制御手段２によって、図３の波形図に示すような、所定時間だけ電源をＯＮとし、その間は電源をＯＦＦとする、いわゆる間欠通電動作が行われている。
【００１８】
つまり、門扉の施解錠に用いられる受信装置４や、シャッターの開閉に用いられる受信装置４毎に、例えばＯＮ時間ｔ１は６〜２０ｍ秒と同じであるが、ＯＦＦ時間ｔ２は電池が電源である門扉用は１〜２秒と長く、交流電源が電源であるシャッター用は短い０．１〜０．３秒というように、あらかじめ制御手段２に間欠動作時間を設定しておき、これによって間欠動作を行うことで、省電力化を図るように構成されているものであった。
【００１９】
なお、この出願の発明に関連する先行技術文献情報としては、例えば、特許文献１が知られている。
【先行技術文献】
【特許文献】
【００２０】
【特許文献１】特開２００９−２７８５０６号公報
【発明の概要】
【発明が解決しようとする課題】
【００２１】
しかしながら、上記従来の受信装置においては、門扉の施解錠用に使用された場合にも、シャッターの開閉用に使用された場合にも、受信装置４の構成は殆んど同じであるにも拘らず、電池が電源である門扉用はＯＦＦ時間ｔ２を長く、交流電源が電源であるシャッター用は短く設定する必要があるため、門扉用とシャッター用では制御手段２の間欠通電時間の設定が異なり、別々のものとなってしまい、構成部品の共用化が図れず、送信装置５との組合せの管理も煩雑になってしまうという課題があった。
【００２２】
本発明は、このような従来の課題を解決するものであり、門扉用にもシャッター用にも設定が可能で、安価で確実な遠隔操作が可能な受信装置を提供することを目的とする。
【課題を解決するための手段】
【００２３】
上記目的を達成するために本発明は、制御手段がペアリング設定状態において、送信装置からの操作信号に応じて、電源の通電を所定のＯＮ時間とＯＦＦ時間とする間欠動作時間を設定するようにして受信装置を構成したものであり、制御手段がペアリング時に、例えば門扉用あるいはシャッター用の送信装置からの、操作信号の操作コードを判別し、門扉用あるいはシャッター用の間欠動作時間に設定することで、一つの受信装置を門扉用にもシャッター用にも設定できるため、構成部品の共用化が図れ、安価に受信装置を構成できると共に、確実な遠隔操作が可能な受信装置を得ることができるという作用を有するものである。
【発明の効果】
【００２４】
以上のように本発明によれば、安価で確実な遠隔操作が可能な受信装置を実現することができるという有利な効果が得られる。
【図面の簡単な説明】
【００２５】
【図１】本発明の一実施の形態による受信装置のブロック回路図
【図２】操作信号の波形図
【図３】間欠動作の波形図
【図４】従来の受信装置のブロック回路図
【発明を実施するための形態】
【００２６】
以下、本発明の実施の形態について、図１〜図３を用いて説明する。
【００２７】
なお、背景技術の項で説明した構成と同一構成の部分には同一符号を付して、詳細な説明を簡略化する。
【００２８】
（実施の形態）
図１は本発明の一実施の形態による受信装置のブロック回路図であり、同図において、１はアンテナ等の受信手段、１２はマイコン等の制御手段、３はスイッチ等の切換手段で、上下面に複数の配線パターンが形成された配線基板（図示せず）にこれらが実装され、受信手段１と切換手段３が制御手段１２に接続されて、受信装置１４が構成されている。
【００２９】
また、５は携帯用の送信装置で、上面から複数の押釦５Ｂが突出した絶縁樹脂製のケース５Ａ内には、収納されたアンテナやスイッチ、マイコン等によって送信手段や、送信装置毎に異なる識別コードや操作コード等が登録された記憶手段（図示せず）等が形成されている。
【００３０】
そして、このような電波を用いて遠隔操作を行う受信装置１４や送信装置５の場合、他の受信装置や送信装置による誤操作を防ぐため、使用前に、一組の受信装置１４と送信装置５のみがペアとして操作可能となる設定、いわゆるペアリングが一般的に行われる。
【００３１】
つまり、上記の構成において、先ず初めに、受信装置１４の切換手段３を切換えると、これを制御手段１２が検出して、受信装置１４がペアリング設定状態となる。
【００３２】
また、この状態で、例えば門扉施解錠用の送信装置５の押釦５Ｂを押圧操作すると、ケース５Ａ内のスイッチ接点の電気的接離が行われ、図２（ａ）の波形図に示すような、送信装置毎に異なる識別コードＬ１と、例えば門扉を解錠するための操作コードＭ１から形成された、操作信号が電波として送信装置５から送信される。
【００３３】
そして、この操作信号を受信装置１４の受信手段１が受信し、制御手段１２が送信装置毎に固有の識別コードＬ１を記憶すると共に、操作コードＭ１を判別し、この操作コードＭ１に応じた、図３の波形図に示すような、所定時間だけ電源をＯＮとし、その間は電源をＯＦＦとする、いわゆる間欠通電動作の設定が行われる。
【００３４】
つまり、制御手段１２がこの操作コードＭ１から、この操作信号を送信した送信装置５が門扉施解錠用のものであることを判別し、例えばＯＮ時間ｔ１は６〜２０ｍ秒、ＯＦＦ時間ｔ２は１〜２秒というように、門扉用の間欠動作時間を設定する。
【００３５】
そして、このように制御手段１２によって識別コードＬ１の記憶と、間欠動作時間の設定が同時に行われた後、切換手段３を元に戻して、受信装置１４と送信装置５が一組のペアとして操作可能となるペアリング設定が完了する。
【００３６】
なお、この時、送信装置５がシャッター開閉用のものであった場合には、押釦５Ｂを押圧操作すると、図２（ｃ）に示すような、送信装置毎に異なる識別コードＬ２と、例えばシャッターを開くための操作コードＭ３から形成された操作信号が送信装置５から送信される。
【００３７】
そして、この操作信号を受信装置１４の受信手段１が受信し、制御手段１２が上記と同様に、この固有の識別コードＬ２を記憶すると共に、操作コードＭ３を判別し、この操作コードＭ３に応じた間欠動作時間の設定を行う。
【００３８】
すなわち、この場合には、制御手段１２が操作コードＭ３から、この操作信号を送信した送信装置５がシャッター開閉用のものであることを判別し、例えばＯＮ時間ｔ１は６〜２０ｍ秒、ＯＦＦ時間ｔ２は０．１〜０．３秒というように、シャッター用の間欠動作時間を設定する。
【００３９】
つまり、一組の受信装置１４と送信装置５のペアリングを行う際に、制御手段１２が送信装置毎に異なる識別コードＬ１やＬ２を記憶すると同時に、受信した操作信号の操作コードＭ１やＭ３を判別し、これに応じて、門扉用あるいはシャッター用の間欠動作時間の設定が行われるように構成されている。
【００４０】
したがって、門扉用あるいはシャッター用というように、間欠動作時間の設定が異なる別々の受信装置１４を製作する必要はなく、全く同一構成の受信装置１４に、門扉用あるいはシャッター用の送信装置５から、操作信号を送信してペアリングを行うだけで、この受信装置１４を門扉用あるいはシャッター用として形成することが可能なようになっている。
【００４１】
そして、このような受信装置１４が門扉やシャッターの所定箇所に装着されると共に、制御手段１２がコネクタやリード線（図示せず）等によって、門扉の錠機構（図示せず）やシャッターの開閉を駆動する、モータ等の駆動手段６に電気的に接続される。
【００４２】
また、受信装置１４が門扉の施解錠に用いられる場合には、制御手段１２が電池に、シャッターの開閉に用いられる場合には、制御手段１２は変換器等を介して交流電源に各々接続される。
【００４３】
以上の構成において、例えば門扉とある程度離れた場所から、携帯した送信装置５の例えば解錠用の押釦５Ｂを押圧操作すると、図２（ａ）に示したような、識別コードＬ１と門扉解錠用の操作コードＭ１から形成された、操作信号が電波として送信装置５から送信される。
【００４４】
そして、この操作信号を受信装置１４の受信手段１が受信し、この操作信号内の識別コードＬ１を制御手段１２が判別して、ペアリング時に記憶したものと同一である場合には、操作コードＭ１に従って駆動手段６を駆動し、門扉の錠が解錠される。
【００４５】
また、送信装置５の施錠用の押釦５Ｂを押圧操作した場合には、図２（ｂ）に示すような、識別コードＬ１と門扉施錠用の操作コードＭ２から形成された操作信号が、送信装置５から送信され、同じく制御手段１２が識別コードＬ１を判別して駆動手段６を駆動し、門扉の錠が施錠される。
【００４６】
なお、これらがシャッターの開閉に用いられた場合には、送信装置５の押釦５Ｂを押圧操作すると、図２（ｃ）に示すような、識別コードＬ２とシャッター開放用の操作コードＭ３から形成された操作信号や、図２（ｄ）に示すような、識別コードＬ２とシャッター閉鎖用の操作コードＭ４から形成された操作信号が、送信装置５から各々送信される。
【００４７】
そして、この操作信号を受信装置１４の受信手段１が受信し、この操作信号内の識別コードＬ２を制御手段１２が判別して、ペアリング時に記憶したものと同一である場合には、操作コードＭ３やＭ４に従って駆動手段６を駆動し、シャッターの開閉が行われる。
【００４８】
つまり、門扉やシャッターに接近し機械式キーによって、門扉の施解錠やシャッターの開閉を直接行うことに加え、携帯した送信装置５を操作することによって、ある程度離れた場所からでも、門扉の施解錠やシャッターの開閉を遠隔操作できるように構成されている。
【００４９】
また、受信装置１４は門扉用あるいはシャッター用毎に、上述したように、所定時間だけ電源がＯＮとなり、その間は電源がＯＦＦとなる間欠動作時間が制御手段１２に設定され、図３に示すような間欠通電動作が行われているため、電力の消費が少なくなるようになっている。
【００５０】
すなわち、間欠動作時間を制御手段１２に設定し、受信装置１４を常に通電状態ではなく間欠動作させることによって、省電力化を図り、特に電池が電源である門扉の施解錠に用いられた場合の、電池の消耗を抑えるように形成されている。
【００５１】
そして、この間欠動作の設定を受信装置１４と送信装置５のペアリング時に行うことによって、上述したように、電池が電源である門扉用、あるいは交流電源が電源であるシャッター用の間欠動作時間が、制御手段１２にあらかじめ設定された受信装置１４を別々に製作する必要がなくなるため、構成部品の共用化が図れ、安価に受信装置１４を構成できるようになっている。
【００５２】
つまり、門扉用あるいはシャッター用の送信装置５から、操作信号を送信してペアリングを行う際に、この操作信号を制御手段１２が判別し、これに応じて間欠動作時間を設定することによって、一つの受信装置１４を門扉用にもシャッター用にも設定できるように構成されている。
【００５３】
このように本実施の形態によれば、制御手段１２がペアリング時に、送信装置５からの操作信号に応じて、間欠動作時間を設定することによって、一つの受信装置１４を門扉用にもシャッター用にも設定できるため、構成部品の共用化が図れ、安価に受信装置を構成できると共に、確実な遠隔操作が可能な受信装置を得ることができるものである。
【産業上の利用可能性】
【００５４】
本発明による受信装置は、安価で確実な遠隔操作が可能なものが得られ、主に門扉の施解錠やシャッターの開閉等の遠隔操作用として有用である。
【符号の説明】
【００５５】
１  受信手段
３  切換手段
５  送信装置
５Ａ  ケース
５Ｂ  押釦
６  駆動手段
１２  制御手段
１４  受信装置
【図１】
0005471540.tif 000002
【図２】
0005471540.tif 000003
【図３】
0005471540.tif 000004
【図４】
0005471540.tif 000005